(57)【要約】【課題】少なくとも１つの側板が２つに折れる中折れタイプの側板を用いた組み立て式コンテナの利便性を向上させる。【解決手段】パレット１１上に複数の側板が周壁状に立設された組立形状下で、これらの側板に取り囲まれた物品収容空間２が形成される組み立て式コンテナ１であって、少なくとも１つの側板が、上部側板４１Ａと下部側板４１Ｂが蝶番４１Ｃで回動可能に連結された中折れタイプの側板であり、上部側板４１Ａの両側面の各々には、縦枠部材に沿って摺動可能なスライドピン６２が設けられており、上部側板４１Ａが隣接する側板４３には、隣接する側板の面上に突出したスライドピン受け金具６３が設けられている。スライドピン６２を摺動させることでスライドピン６２がスライドピン受け金具６３に挿通され、下部側板４１Ｂに対する上部側板４１Ａの回動が規制される。【選択図】図５
2020083372.tif 000002
【特許請求の範囲】
【請求項１】
パレット上に複数の側板が周壁状に立設された組立形状下で前記複数の側板に取り囲まれた物品収容空間が形成される組み立て式コンテナであって、
前記複数の側板の少なくとも１つは上部側板及び下部側板を有して、前記組立形状下で前記下部側板に対して前記上部側板が前記物品収容空間から離れる外面側に回動可能となるよう、前記上部側板と前記下部側板とが回動連結部によって連結されており、
前記上部側板は、前記上部側板の両側面の各々に前記上部側板の縦枠部材に沿って摺動可能なスライドピンを備え、
前記組立形状下で前記上部側板が隣接する側板は、前記隣接する側板の面上に突出したスライドピン受け金具を備え、
前記組立形状下で前記上部側板が隣接する側板に当接した状態において、前記スライドピンは、前記スライドピンの側面が前記スライドピン受け金具に当接して前記下部側板に対して前記上部側板が前記外面側に回動することを規制する固定側停止位置と、前記スライドピンの側面が前記スライドピン受け金具から離隔して前記下部側板に対して前記上部側板が前記外面側に回動可能となる解除側停止位置との間を摺動可能なよう構成されていることを特徴とする組み立て式コンテナ。
【請求項２】
前記スライドピンは、前記上部側板の両側面の各々に設けられた固定板上に配置されており、
前記固定板は、前記組立形状下で前記上部側板が隣接する側板に当接した状態において、前記スライドピン受け金具が前記固定板と干渉しないよう切欠き部を備えることを特徴とする請求項１に記載の組み立て式コンテナ。
【請求項３】
前記スライドピン受け金具は、前記固定側停止位置に摺動された前記スライドピンが挿通するリング形状をなしていることを特徴とする請求項１又は２に記載の組み立て式コンテナ。
【請求項４】
前記組立形状下で前記上部側板が隣接する側板に当接した状態において、前記スライドピンは略鉛直方向に摺動可能であり、前記スライドピン受け金具は、前記略鉛直方向に摺動可能な前記スライドピンを挿通する略水平方向に広がるリング形状をなしていることを特徴とする請求項３に記載の組み立て式コンテナ。
【請求項５】
前記下部側板は、前記組立形状下で前記隣接した側板及び前記パレットに係合固定されることを特徴とする請求項１から４のいずれか１つに記載の組み立て式コンテナ。
【発明の詳細な説明】
【技術分野】
【０００１】
本発明は、物流搬送用の組み立て式コンテナに関し、特に、複数の側板を立設して内部に物品収容空間を形成する組み立て式コンテナに関する。
【背景技術】
【０００２】
従来、輸送時や荷役作業時にはパレット上に周壁状に側板を立設して内部に物品収容空間を有するコンテナ形状に組み立てる一方、返送時等には側板を分解したり折り畳んだりしてコンテナサイズを縮小できるようにした組み立て式コンテナが多用されている。
【０００３】
そのような組み立て式コンテナとしては、例えばフォークリフトでの取り扱いが可能なパレットの上面に下金枠を固定し、その下金枠の内側に四面のパネル状の側板を周壁状に立設して内部に物品収容空間を形成することで、所定のコンテナ形状としたものが知られている。
【０００４】
例えば、特許文献１に開示されているコンテナは、図７に示すように、第１の側板９１０の押え板９１１に形成された拡がり防止用ピン孔９１２に、隣接する第２の側板９２０に設置されている拡がり防止用ピン９２１を嵌入させ、さらに丸落とし金具のスライドピン（スピンドル）９２２の側面を押え板９１１に当接させることで、第１の側板９１０と第２の側板９２０とが連結されるようになっている。
【０００５】
また、例えば、特許文献２に開示されているコンテナは、図８（Ａ）、（Ｂ）に示すように、第１の側板９３０の側端部のフック部９３１に、隣接する第２の側板９４０に回動可能に設けられた連結金具９４１を係止させ、さらにストッパ部材９４２のピン９４３を用いてフック部９３１に係止された連結金具９４１を固定することで、第１の側板９３０と第２の側板９４０とが連結されるようになっている。
【先行技術文献】
【特許文献】
【０００６】
【特許文献１】実用新案登録第３２０１４６５号公報（図１２）
【特許文献２】特許第３８９５８５２号公報（図６、図７）
【発明の概要】
【発明が解決しようとする課題】
【０００７】
コンテナの少なくとも１つの側板として、分割された２つの側板（上部側板及び下部側板）が蝶番によって連結された構成、すなわち、一面が２つに折れる中折れタイプの側板が採用される場合がある。このような中折れタイプの側板は、下部側板に対して上部側板が回動可能であり、上部側板を外側に回動させてコンテナ内部の物品収容空間を臨むことができるようになっている。中折れタイプの側板の上部側板は、物品の搬送時等には隣接した側板に連結される一方、物品収容空間に対して物品の出し入れを行う際には、隣接した側板との連結が容易に解除できる構成であることが望ましい。
【０００８】
中折れタイプの側板の上部側板と隣接した側板との連結に、特許文献１の開示技術を適用した場合には、上部側板の押え板に形成された拡がり防止用ピンを、隣接する側板の拡がり防止用ピン孔に嵌入させることで、上部側板と隣接する側板とを連結することが可能である。
【０００９】
しかしながら、拡がり防止用ピン孔への拡がり防止用ピンの嵌入を外す場合には、スライドピンを摺動させてその側面を押え板から離隔させたうえで、さらに、拡がり防止用ピンが形成された隣接する側板を内側へ傾ける作業が必要になるという課題がある。
【００１０】
また、上部側板は、隣接する２つの側板の各々と連結されているため、上部側板両端の２箇所の連結部において、拡がり防止用ピン孔への拡がり防止用ピンの嵌入を外す必要がある。具体的には、一方の側板側において、側板を内側へ傾けて拡がり防止用ピン孔への拡がり防止用ピンの嵌入を外し、さらに、他方の側板側において、側板を内側へ傾けて拡がり防止用ピン孔への拡がり防止用ピンの嵌入を外す必要がある。
【００１１】
しかしながら、一方の側板側の連結を解除してから他方の側板側の連結を解除しようとすると、連結を解除したはずの一方の側板側において、拡がり防止用ピン孔へ拡がり防止用ピンが再び嵌入してしまう場合がある。これを避けるためには、連結を解除した一方の側板側において側板を内側へ傾けた状態を維持したまま（例えば、側板を内側へ傾けた状態を維持するよう手で抑えたまま）他方の側板側の連結を解除したり、一方及び他方の側板の連結を同時に解除したりする必要があり、利便性に優れたコンテナを実現することができないという課題がある。
【００１２】
また、中折れタイプの側板の上部側板と隣接した側板との連結に、特許文献２の開示技術を適用した場合には、隣接する側板に連結金具及びストッパ部材を設けて上部側板のフック部に連結金具を係止させ、さらにストッパ部材のピンを用いて連結金具を固定することで、上部側板と隣接する側板とを連結することが可能である。
【００１３】
しかしながら、この構成では、隣接する側板に設けられた連結金具及びストッパ部材がコンテナ上部への突起物となり、コンテナの取り扱い時に邪魔になったり、上蓋がコンテナ上部を密に覆うことができなかったりするという課題がある。
【００１４】
本発明は、上記のような課題に鑑みて、少なくとも１つの側板が２つに折れる中折れタイプの側板を用いた組み立て式コンテナの利便性を向上させることを目的とし、特に、中折れタイプの側板の上部側板と隣接する側板との連結や、その連結の解除を容易に行うことができる組み立て式コンテナを提供することを目的とする。
【課題を解決するための手段】
【００１５】
上記の目的を達成するため、本発明の組み立て式コンテナは、パレット上に複数の側板が周壁状に立設された組立形状下で前記複数の側板に取り囲まれた物品収容空間が形成される組み立て式コンテナであって、
前記複数の側板の少なくとも１つは上部側板及び下部側板を有して、前記組立形状下で前記下部側板に対して前記上部側板が前記物品収容空間から離れる外面側に回動可能となるよう、前記上部側板と前記下部側板とが回動連結部によって連結されており、
前記上部側板は、前記上部側板の両側面の各々に前記上部側板の縦枠部材に沿って摺動可能なスライドピンを備え、
前記組立形状下で前記上部側板が隣接する側板は、前記隣接する側板の面上に突出したスライドピン受け金具を備え、
前記組立形状下で前記上部側板が隣接する側板に当接した状態において、前記スライドピンは、前記スライドピンの側面が前記スライドピン受け金具に当接して前記下部側板に対して前記上部側板が前記外面側に回動することを規制する固定側停止位置と、前記スライドピンの側面が前記スライドピン受け金具から離隔して前記下部側板に対して前記上部側板が前記外面側に回動可能となる解除側停止位置との間を摺動可能なよう構成されていることを特徴とする。
【００１６】
好ましくは、前記スライドピンは、前記上部側板の両側面の各々に設けられた固定板上に配置されており、
前記固定板は、前記組立形状下で前記上部側板が隣接する側板に当接した状態において、前記スライドピン受け金具が前記固定板と干渉しないよう切欠き部を備えることを特徴とする。
【００１７】
また、好ましくは、前記スライドピン受け金具は、前記固定側停止位置に摺動された前記スライドピンが挿通するリング形状をなしていることを特徴とする。
【００１８】
また、好ましくは、前記組立形状下で前記上部側板が隣接する側板に当接した状態において、前記スライドピンは略鉛直方向に摺動可能であり、前記スライドピン受け金具は、前記略鉛直方向に摺動可能な前記スライドピンを挿通する略水平方向に広がるリング形状をなしていることを特徴とする。
【００１９】
また、好ましくは、前記下部側板は、前記組立形状下で前記隣接した側板及び前記パレットに係合固定されることを特徴とする。
【発明の効果】
【００２０】
本発明によれば、少なくとも１つの側板が２つに折れる中折れタイプの側板を用いた組み立て式コンテナの利便性を向上させることが可能となり、特に、中折れタイプの側板の上部側板と隣接する側板との連結や、その連結の解除を容易に行うことができる組み立て式コンテナを提供することが可能となる。
【図面の簡単な説明】
【００２１】
【図１】本発明の実施の形態に係る組み立て式コンテナの全体構成の一例を示す分解斜視図である。
【図２】本発明の実施の形態に係る組み立て式コンテナの一例を示す図であり、組み立て式コンテナを第３の側板側から見た側面図である。
【図３】本発明の実施の形態に係る組み立て式コンテナの一例を示す図であり、組み立て式コンテナを第１の側板側から見た正面図である。
【図４】本発明の実施の形態に係る組み立て式コンテナの収納形状の一例を示す正面図である。
【図５】図１に示す組み立て式コンテナに係る固定機構近傍（図１の領域Ａ）の部分拡大図である。
【図６】図２の方向Ｂから固定機構近傍を見た矢視図である。
【図７】従来技術に係る組み立て式コンテナにおいて、第１の側板と第２の側板との連結部を示す部分斜視図である。
【図８】従来技術に係る組み立て式コンテナにおいて、第１の側板と第２の側板との連結部を示す部分斜視図であり、図８（Ａ）は、第１の側板と第２の側板とを連結させる前の状態を示す図、図８（Ｂ）は、第１の側板に第２の側板の連結金具を係止させた状態を示す図である。
【発明を実施するための形態】
【００２２】
以下、図面を参照しながら、本発明の実施の形態について説明する。
【００２３】
図１〜図６は、本発明の実施の形態に係る組み立て式コンテナを示している。
【００２４】
まず、本発明の実施の形態に係る組み立て式コンテナの構成について説明する。
【００２５】
本発明の実施の形態に係る組み立て式コンテナ１（以下、単にコンテナ１という）は、パレット１１と、パレット１１上に固定された下金枠２１と、下金枠２１内でパレット１１上に載置される底板３１と、下金枠２１の内側に接するよう四角筒状（四面構成の周壁状）に立設される複数の側板（第１〜第４の側板４１−４４）と、これら周壁状に立設された複数の側板４１−４４の上端開口部分を上方から塞ぐ上蓋５１と、を有している。
【００２６】
コンテナ１は、複数の側板４１−４４を連結して周壁状に立設したコンテナ形状に組み立てることが可能である。本明細書では、複数の側板４１−４４を連結して周壁状に立設したコンテナ１の形状を、組立形状ともいう。コンテナ１は、組立形状下で、パレット１１上に載置された底板３１及び複数の側板４１−４４に取り囲まれた物品収容空間２を形成する。また、物品収容空間２上部を上蓋５１で覆うことで、物品収容空間２を六面が取り囲まれた略直方体形状とすることも可能である。物品収容空間２には、例えば、物流搬送対象である所定の物品が収容される。
【００２７】
パレット１１の構成について説明する。
【００２８】
パレット１１は、コンテナ１の基台であって、フォークリフト等による荷役作業が可能な運搬台である。パレット１１には、例えば樹脂やスチール等が用いられるが、その素材は特に限定されるものではない。また、パレット１１の台部の形状や脚部の配置等は任意であるが、例えば、パレット１１は所定の高さを有し、その四方側面に、フォークリフトの爪部（フォーク）が差し込まれるリフト用開口１２が形成される。
【００２９】
下金枠２１の構成について説明する。
【００３０】
下金枠２１は、例えばスチール等の金属製の部材が溶接によって一体化された矩形枠体である。下金枠２１は、パレット１１の周縁に沿ってパレット１１上面に重なるように固定されている。
【００３１】
下金枠２１は、例えばコンテナ１の返送等のために、周壁状に立設された複数の側板４１−４４の連結を解いた分解時においても、パレット１１に固定されたままである。分解された複数の側板４１−４４は、図４に示すように、下金枠２１の矩形枠体内部において各面が底板３１上に重なるように配置して収納することができる（図４では、下金枠２１は図示省略）。本明細書では、複数の側板４４−４４が分解されて各面が底板３１上に重なるように配置されたコンテナ１の形状を、収納形状ともいう。
【００３２】
下金枠２１は、パレット１１上面の四隅に配置される４つのコーナー金具２２と、４つのコーナー金具２２に一体に結合された一対の第１の連結金枠２３及び一対の第２の連結金枠２４を有する。一対の第１の連結金枠２３は平行に対向配置され、一対の第２の連結金枠２４は平行に対向配置される。また、第１の連結金枠２３と第２の連結金枠２４とは直交する。すなわち、下金枠２１は、４つのコーナー金具２２を四隅とし、一対の第１の連結金枠２３及び一対の第２の連結金枠２４を四辺とした矩形枠体を形成する。
【００３３】
四隅のコーナー金具２２は、コンテナ１の組立形状において立設される４つの側板４１−４４の各下辺部の両端と係合することができる公知の構成を有する。例えば、コーナー金具２２には位置決め溝又は孔が設けられており、４つの側板４１−４４には、コーナー金具２２の位置決め溝又は孔に対応する位置に位置決めピンが設けられている。位置決め溝又は孔に位置決めピンを嵌合させることで、組立形状下で、コーナー金具２２に４つの側板４１−４４が当接した状態で安定して位置決め保持される。
【００３４】
一対の第１の連結金枠２３及び一対の第２の連結金枠２４は、コンテナ１の組立形状において立設される４つの側板４１−４４の各下辺部が外側に広がらないように、側板４１−４４に当接して支持することができる公知の構成を有する。
【００３５】
下金枠２１の第１の連結金枠２３の外面中央部には、コンテナ１の収納形状において上蓋５１のゴムバンド掛止金具５５を掛止するゴムバンド受け金具２５が設けられている。
【００３６】
底板３１の構成について説明する。
【００３７】
底板３１は、パレット１１上面の下金枠２１の矩形枠体内部に載置され、組立形状下で形成される物品収容空間２の下面を規定する板状部材である。底板３１には、例えばプラスチック製ダンボール（プラダンと略されることがある）等が用いられるが、その素材は特に限定されるものではない。
【００３８】
複数の側板４１−４４の構成について説明する。
【００３９】
側板４１−４４は、パレット１１上に立設された組立形状下で、略四角筒状の物品収容空間２を形成するよう、互いに対面する一対の側板（第１の側板４１及び第２の側板４２）と、これらの第１の側板４１及び第２の側板４２の間で互いに対面する一対の側板（第３の側板４３及び第４の側板４４）とにより構成されている。
【００４０】
第１の側板４１の構成について説明する。第１の側板４１は、上部側板４１Ａと下部側板４１Ｂとにより構成されている。
【００４１】
第１の側板４１の上部側板４１Ａの構成について説明する。
【００４２】
上部側板４１Ａは、枠材４１１Ａと、枠材４１１Ａ内部に展延する平板状の側面材４１２Ａとを含んで構成されている。例えば、枠材４１１Ａにはアルミやスチール等が用いられ、側面材４１２Ａにはプラダン等が用いられるが、これらの素材は特に限定されるものではない。
【００４３】
上部側板４１Ａは、枠材４１１Ａの第３及び第４の側板４３、４４に近い両側端で一対の縦枠部分に沿って延びる一対の所定幅の固定板４１３Ａを有している。固定板４１３Ａは、平板状の側面材４１２Ａに対して略垂直な方向に広がっている。コンテナ１の組立形状においては、固定板４１３Ａは、第３及び第４の側板４３、４４の枠材４３１、４４１の外面側に当接する。
【００４４】
固定板４１３Ａには、図５に示すように、固定板４１３Ａの一部が欠けた切欠き部４１４Ａが設けられており、さらに、第３及び第４の側板４３、４４に対して第１の側板４１の上部側板４１Ａを位置決め固定するための固定機構が装着されている。
【００４５】
固定板４１３Ａの切欠き部４１４Ａは、第３及び第４の側板４３、４４の枠材４３１、４４１に設けられたスライドピン受け金具６３に対応する位置に設けられている。後述するように、スライドピン受け金具６３は水平方向に広がるリング形状の部材であり、切欠き部４１４Ａは、スライドピン受け金具６３の形状に合わせるように、固定板４１３Ａの一部が水平方向に切り取られた形状を有している。コンテナ１の組立形状においては、スライドピン受け金具６３は固定板４１３Ａと干渉せずに切欠き部４１４Ａに嵌入して、固定板４１３Ａの外側面上に露出されるようになっている。
【００４６】
固定機構は、例えば丸落とし金具６０である。図５及び図６に示すように、丸落とし金具６０は、上部側板４１Ａの固定板４１３Ａに固定された固定金具６１と、固定金具６１に摺動可能に保持されたストッパ付のスライドピン６２とを有している。スライドピン６２は、上部側板４１Ａの縦枠部分に沿った方向（組立形状における鉛直方向）に延伸した部材であり、縦枠部分に沿った方向に摺動可能である。スライドピン６２は、切欠き部４１４Ａに嵌入して固定板４１３Ａ上に露出した第３及び第４の側板４３、４４のスライドピン受け金具６３（水平方向に広がるリング形状の部材）に挿通可能なようになっている。スライドピン６２は、コンテナ１の組立形状において、固定板４１３Ａ上に露出した第３及び第４の側板４３、４４のスライドピン受け金具６３に挿通した状態（スライドピン６２が切欠き部４１４Ａ上方を覆うように突出した状態）となる固定側停止位置と、スライドピン受け金具６３に挿通していない状態（スライドピン６２が切欠き部４１４Ａ上方から離れて退避した状態）となる解除側停止位置とに移動可能である。
【００４７】
上部側板４１Ａの側面材４１２Ａの外面中央部には、コンテナ１の組立形状において上蓋５１のゴムバンド掛止金具５５を掛止するゴムバンド受け金具４１５Ａが設けられている。
【００４８】
第１の側板４１の下部側板４１Ｂの構成について説明する。
【００４９】
下部側板４１Ｂは、枠材４１１Ｂと、枠材４１１Ｂ内部に展延する平板状の側面材４１２Ｂとを含んで構成されている。例えば、枠材４１１Ｂにはアルミやスチール等が用いられ、側面材４１２Ｂにはプラダン等が用いられるが、これらの素材は特に限定されるものではない。
【００５０】
下部側板４１Ｂは、上部側板４１Ａと同様に、枠材４１１Ｂの第３及び第４の側板４３、４４に近い両側端で一対の縦枠部分に沿って延びる一対の所定幅の固定板４１３Ｂを有している。固定板４１３Ｂは、平板状の側面材４１２Ｂに対して略垂直な方向に広がっている。
【００５１】
固定板４１３Ｂには、例えば、第３及び第４の側板４３、４４の係合ピン（例えば、第３の側板４３の係合ピン４３３ａ）に対応する位置に係合ピン用孔４１４Ｂが設けられており、組立形状においては、係合ピン４３３ａを係合ピン用孔４１４Ｂに係合させることによって、第１の側板４１の下部側板４１Ｂと第３及び第４の側板４３、４４とが連結されるようになっている。また、組立形状において第１の側板４１が立設された状態では、第１の側板４１の下辺部を構成する下部側板４１Ｂの枠材４１１Ｂの下枠部分が、公知の構成によってコーナー金具２２と係合するようになっている。
【００５２】
蝶番４１Ｃの構成について説明する。
【００５３】
上部側板４１Ａの枠材４１１Ａの下枠部分と下部側板４１Ｂの枠材４１１Ｂの上枠部分は、外側面に設けられた蝶番４１Ｃによって連結されており、上部側板４１Ａが下部側板４１Ｂに対して回動可能となっている。コンテナ１の組立形状において第１の側板４１が立設された状態では、上部側板４１Ａと下部側板４１Ｂとは略同一面となるように構成されている。また、コンテナ１の組立形状においては、下部側板４１Ｂが下金枠２１に固定されることから、蝶番４１Ｃにより上部側板４１Ａが物品収容空間２から離れる外面側に開くようになっている。なお、上部側板４１Ａが下部側板４１Ｂに対して回動可能であれば、蝶番４１Ｃの数は任意の数でよい。
【００５４】
以上のように、第１の側板４１は、分割された２つの側板（上部側板４１Ａ及び下部側板４１Ｂ）が蝶番４１Ｃによって連結された構成を有しており、すなわち、一面が２つに折れる中折れタイプの側板である。なお、上部側板４１Ａの高さ（上部側板４１Ａの縦枠部分の長さ）と下部側板４１Ｂの高さ（下部側板４１Ｂの縦枠部分の長さ）は略同一であってもよく、あるいは、上部側板４１Ａの高さと下部側板４１Ｂの高さは異なっていてもよい。
【００５５】
第２の側板４２の構成について説明する。
【００５６】
第２の側板４２は、枠材４２１と、枠材４２１内部に展延する平板状の側面材４２２とを含んで構成されている。例えば、枠材４２１にはアルミやスチール等が用いられ、側面材４２２にはプラダン等が用いられるが、これらの素材は特に限定されるものではない。
【００５７】
第２の側板４２は、枠材４２１の第３及び第４の側板４３、４４に近い両側端で一対の縦枠部分に沿って延びる一対の所定幅の固定板４２３を有している。固定板４２３は、平板状の側面材４２２に対して略垂直な方向に広がっている。
【００５８】
固定板４２３には、例えば、第３及び第４の側板４３、４４の係合ピン（例えば、第３の側板４３の係合ピン４３３ｂ）に対応する位置に係合ピン用孔４２４が設けられており、組立形状においては、係合ピン４３３ｂを係合ピン用孔４２４に係合させることによって、第２の側板４２と第３及び第４の側板４３、４４とが連結されるようになっている。また、組立形状において第２の側板４２が立設された状態では、第２の側板４２の下辺部を構成する枠材４２１の下枠部分が、公知の構成によってコーナー金具２２と係合するようになっている。
【００５９】
側面材４２２の外面中央部には、第１の側板４１と同様に、コンテナ１の組立形状において上蓋５１のゴムバンド掛止金具５５を掛止するゴムバンド受け金具４１５Ａが設けられている。
【００６０】
第３の側板４３の構成について説明する。
【００６１】
第３の側板４３は、枠材４３１と、枠材４３１内部に展延する平板状の側面材４３２とを含んで構成されている。例えば、枠材４３１にはアルミやスチール等が用いられ、側面材４３２にはプラダン等が用いられるが、これらの素材は特に限定されるものではない。
【００６２】
枠材４３１の第１の側板４１に近い外側面には、スライドピン受け金具６３が設けられている。このスライドピン受け金具６３は、組立形状における水平方向に広がるリング形状の部材であり、コンテナ１の組立形状においては、スライドピン受け金具６３が切欠き部４１４Ａに嵌入して、上部側板４１Ａの固定板４１３Ａの外側面上に露出されるようになっている。
【００６３】
側面材４３２の第２の側板４２に近い外側面には、固定機構が装着されている。この固定機構は、例えば丸落とし金具７０であり、第３の側板４３の側面材４３２に固定された固定金具７１と、固定金具７１に摺動可能に保持されたストッパ付のスライドピン７２とを有している。スライドピン７２は、第３の側板４３の横枠部分に沿った方向（組立形状における水平方向）に延伸した部材であり、横枠部分に沿った方向に摺動可能である。スライドピン７２は、第２の側板４２の固定板４２３の面上に重なる状態となる固定側停止位置と、第２の側板４２の固定板４２３の面上から離隔する解除側停止位置とに移動可能となっている。なお、この丸落とし金具７０によって第２の側板４２と第３の側板４３との連結を安定して保持する構成は、公知の構成である。
【００６４】
枠材４３１には、例えば、第１及び第２の側板４１、４２の係合ピン用孔４１４Ｂ、４２４に対応する位置に係合ピン４３３ａ、４３３ｂが設けられており、組立形状においては、係合ピン４３３ａ、４３３ｂを係合ピン用孔４１４Ｂ、４２４に係合させることによって、第３の側板４３と第１の側板４１の下部側板４１Ｂ、及び、第３の側板４３と第２の側板４２とが連結されるようになっている。また、組立形状において第３の側板４３が立設された状態では、第３の側板４３の下辺部を構成する枠材４３１の下枠部分が、公知の構成によってコーナー金具２２と係合するようになっている。
【００６５】
第４の側板４４の構成について説明する。
【００６６】
第４の側板４４は、枠材４４１と、枠材４４１内部に展延する平板状の側面材４４２とを含んで構成されている。第４の側板４４は、第３の側板４３と同様の構成を有しており、説明は省略する。
【００６７】
コンテナ１の組立形状において第１の側板４１と第２の側板４２は対面して立設され、上部側板４１Ａと下部側板４１Ｂとが略同一面となるよう配置された第１の側板４１の外形寸法と第２の側板４２の外形寸法は略同一である。コンテナ１の組立形状において第３の側板４３と第４の側板４４とは対面して立設され、第３の側板４３の外形寸法と第４の側板４４の外形寸法は略同一である。また、コンテナ１の組立形状において、各側板４１−４４の上部が略同一の高さとなるようにすることで、上蓋５１が安定して配置できるようになる。
【００６８】
上蓋５１の構成について説明する。
【００６９】
上蓋５１は、コンテナ１の組立形状において、底板３１及び４つの側板４１−４４に取り囲まれて形成される物品収容空間２の上端開口部分を上方から閉塞する平板状の部材である。上蓋５１は、枠材５２と、枠材５２内部に展延する平板状の天板材５３とが一体となって構成されている。例えば、枠材５２にはアルミやスチール等が用いられ、天板材５３にはプラダン等が用いられるが、これらの素材は特に限定されるものではない。
【００７０】
上蓋５１の枠材５２の外面中央部には、ゴムバンド掛止金具５５を備えたゴムバンド５４が設けられている。ゴムバンド５４は、上蓋５１を固定するための固定機構の一例である。ゴムバンド掛止金具５５は、コンテナ１の収納形状においては、下金枠２１に設けられたゴムバンド受け金具２５に掛止され、コンテナ１の組立形状においては、第１の側板４１及び第３の側板４３に設けられたゴムバンド受け金具４１５Ａに掛止される。これにより、コンテナの収納形状及び組立形状のいずれにおいても、上蓋５１を容易に外れないように固定することができる。なお、上蓋５１を固定するための固定機構は、この構成に限定されるものではなく、他の公知の構成であってもよい。
【００７１】
次に、第１の側板４１（中折れタイプの側板）の上部側板４１Ａを隣接する第３及び第４の側板４３、４４に安定して固定可能とする構成及び作用について説明する。
【００７２】
上述のように構成された本実施の形態の組み立て式コンテナ１では、コンテナ１の組立形状において４つの側板４１−４４が下金枠２１のコーナー金具２２に係合固定されるとともに、４つの側板４１−４４が隣接した側板４１−４４と連結される。このとき、第１の側板４１の下部側板４１Ｂは、下金枠２１のコーナー金具２２に係合固定されて、隣接した第３及び第４の側板４３、４４と連結される。
【００７３】
一方、蝶番４１Ｃによって下部側板４１Ｂと連結されている上部側板４１Ａは、下部側板４１Ｂに対して物品収容空間２から離れる外面側に回動可能になっている。上部側板４１Ａは、固定機構を用いて、第３及び第４の側板４３、４４に固定することが可能である。
【００７４】
上部側板４１Ａを第３及び第４の側板４３、４４に固定するための固定機構は、上述したように例えば丸落とし金具６０であり、スライドピン６２が、上部側板４１Ａの縦枠部分に沿った方向（組立形状における鉛直方向）に摺動可能となっている。
【００７５】
第３及び第４の側板４３、４４に対して第１の上部側板４１Ａを固定する場合には、上部側板４１Ａの両側端に設けられたスライドピン６２をそれぞれ解除側停止位置に移動させ、上部側板４１Ａを下部側板４１Ｂに対して回動させて上部側板４１Ａの縦枠部分が第３及び第４の側板４３、４４の縦枠部分と当接するように配置する。すなわち、上部側板４１Ａと下部側板４１Ｂとが略同一面を形成する状態、換言すると、上部側板４１Ａと下部側板４１Ｂとがパレット１１に対して鉛直方向に立設した略同一面の側面となる状態に配置する。
【００７６】
第１の上部側板４１Ａの固定板４１３Ａには切欠き部４１４Ａが形成されており、さらに、スライドピン６２は、切欠き部４１４Ａ上方から離れて退避した解除側停止位置にある。上部側板４１Ａの縦枠部分が第３及び第４の側板４３、４４の縦枠部分と当接した場合、第３及び第４の側板４３、４４のスライドピン受け金具６３は、固定板４１３Ａと干渉せずに切欠き部４１４Ａに嵌入して固定板４１３Ａ上に露出した状態となる。
【００７７】
この状態で、上部側板４１Ａの両側端に設けられたスライドピン６２をそれぞれ固定側停止位置に移動させると、スライドピン６２（組立形状における鉛直方向に延伸した部材）が、固定板４１３Ａ上に露出した第３及び第４の側板４３、４４に設けられたスライドピン受け金具６３（組立形状における水平方向に広がるリング形状の部材）に挿通した状態となる。
【００７８】
スライドピン６２がリング形状の部材であるスライドピン受け金具６３に挿通した状態では、スライドピン受け金具６３によってスライドピン６２の水平方向への移動が規制される。より詳細には、組立形状における鉛直方向に延伸した部材であるスライドピン６２が、水平方向に広がるリング形状の部材であるスライドピン受け金具６３に挿通した状態では、スライドピン６２が水平方向へ移動しようとしても、スライドピン６２の側面がスライドピン受け金具６３のリング形状の内面に当接して自由に移動することができなくなる。スライドピン受け金具６３によってスライドピン６２の水平方向への移動が規制されることで、スライドピン６２が設けられている上部側板４１Ａの下部側体４１Ｂに対する回動が規制される。
【００７９】
このように、スライドピン６２をスライドピン受け金具６３に挿通させて上部側板４１Ａの下部側体４１Ｂに対する回動を規制することで、第１の側板４１の上部側板４１Ａが第３及び第４の側板４３、４４に当接した状態で固定され、第１の側板４１が、パレット１１に対して鉛直方向に立設した１枚の側板となり、物品収容空間２の容積が確保される。また、例えば、物品収容空間２に収容された物品が第１の側板４１の上部側板４１Ａを内側から押したとしても、上部側板４１Ａの下部側板４１Ｂに対する回動が規制されているため、上部側板４１Ａと下部側板４１Ｂとが略同一面を形成している形状が維持される。
【００８０】
一方、第３及び第４の側板４３、４４に対する第１の上部側板４１Ａの固定を解除する場合には、上部側板４１Ａの両側端に設けられたスライドピン６２をそれぞれ切欠き部４１４Ａ上方から離れて退避した解除側停止位置へ移動させればよい。これにより、スライドピン６２の側面がスライドピン受け金具６３のリング形状の内面から離隔して、スライドピン６２が水平方向に移動できるようになり、スライドピン６２が設けられている上部側板４１Ａを下部側体４１Ｂに対して自由に回動できるようになる。
【００８１】
このように、スライドピン６２をスライドピン受け金具６３から離隔するように退避させて上部側板４１Ａが下部側体４１Ｂに対して自由に回動できるようにすることで、第１の側板４１の上部側板４１Ａを開いて物品収容空間２に臨むことができるようになり、物品収容空間２への物品の出し入れが容易となる。
【００８２】
なお、隣接した一方の側板側のスライドピン６２をスライドピン受け金具６３に挿通するように固定側停止位置に移動させるだけで、隣接した一方の側板に対して第１の上部側板４１Ａが固定されて、第１の上部側板４１Ａの下部側板４１Ｂに対する回動がある程度規制されるようになる。第１の上部側板４１Ａが隣接した一方の側板のみに固定された状態は、例えば、使用者が手を放したり第１の上部側板４１Ａを多少動かしたりしたとしても解除されることはない。
【００８３】
したがって、第１の上部側板４１Ａを第３及び第４の側板４３、４４に対して固定する場合、上部側板４１Ａの両側端に設けられたスライドピン６２を固定側停止位置に同時に移動する必要はなく、例えば第３の側板４３（一方の側板）側のスライドピン６２を固定側停止位置に移動して上部側板４１Ａと第３の側板４３とを固定した後で、第４の側板４４（他方の側板）側のスライドピン６２を固定側停止位置に移動して上部側板４１Ａと第４の側板４４とを固定すればよい。また、例えば先に固定した側を手で抑えて固定された状態が解除されないようにする必要などもない。
【００８４】
また、第１の上部側板４１Ａを第３及び第４の側板４３、４４に対して固定した状態を解除する場合も同様であり、例えば第３の側板４３（一方の側板）側のスライドピン６２を解除側停止位置に移動した後で、第４の側板４４（他方の側板）側のスライドピン６２を解除側停止位置に移動すればよい。また、同様に、例えば先に固定を解除した側を手で抑えて再び固定状態に戻らないようにする必要などもない。
【００８５】
なお、本発明の組み立て式コンテナ１は、上述した本実施の形態に限定されるものではない。例えば、上述した本実施の形態では、スライドピン受け金具６３がリング形状をなしているが、スライドピン受け金具６３の形状は、固定側停止位置に配置されたスライドピン６２の側面に当接して、下部側板４１Ｂに対する上部側板４１Ａの回動を規制できるものであればよい。スライドピン受け金具６３は、一部を切り欠いたリング形状の部材であってもよく、スライドピン６２の側面に当接してスライドピン６２の水平方向への移動を規制する突起部材であってもよい。
【符号の説明】
【００８６】
１  組み立て式コンテナ（コンテナ）
２  物品収容空間
１１  パレット
１２  リフト用開口
２１  下金枠
２２  コーナー金具
２３  第１の連結金枠
２４  第２の連結金枠
２５、４１５Ａ  ゴムバンド受け金具
３１  底板
４１、９１０、９３０  第１の側板
４１Ａ  上部側板
４１Ｂ  下部側板
４１Ｃ  蝶番（回動連結部）
４２、９２０、９４０  第２の側板
４３  第３の側板
４４  第４の側板
５１  上蓋
５２、４１１Ａ、４１１Ｂ、４２１、４３１、４４１  枠材
５３  天板材
５４  ゴムバンド
５５  ゴムバンド掛止金具
６０、７０  丸落とし金具（固定機構）
６１、７１  固定金具
６２、７２、９２２  スライドピン
６３  スライドピン受け金具
４１２Ａ、４１２Ｂ、４２２、４３２、４４２  側面材
４１３Ａ、４１３Ｂ、４２３  固定板
４１４Ａ  切欠き部
４１４Ｂ、４２４  係合ピン用孔
４３３ａ、４３３ｂ  係合ピン
９１１  押え板
９１２  拡がり防止用ピン孔
９２１  拡がり防止用ピン
９３１  フック部
９４１  連結金具
９４２  ストッパ部材
９４３  ピン
【図１】
2020083372.tif 000003
【図２】
2020083372.tif 000004
【図３】
2020083372.tif 000005
【図４】
2020083372.tif 000006
【図５】
2020083372.tif 000007
【図６】
2020083372.tif 000008
【図７】
2020083372.tif 000009
【図８】
2020083372.tif 000010